(57)【特許請求の範囲】
【請求項１】
通信回線を介して広告情報を閲覧可能とする方法であって、
（１）サーバーが、広告主毎に、広告主と、広告情報とを関連付けた広告主データベースを備えており、
（２）サーバーが、利用者毎に、 利用者と、検索対象となる利用者検索情報と、該利用者により選択された広告情報とを関連付けた利用者データベースを備えており、
（３）サーバーが、利用者端末に対して、利用者を検索するための検索条件を入力させるための画面情報を送信するステップと、
（４）サーバーが、前記利用者端末から受信した前記検索条件に基づいて、前記利用者データベースの前記利用者検索情報に関連付けられた利用者を特定するステップと、
（５）サーバーが、前記特定された利用者により選択されている前記広告情報毎に、前記特定された利用者のうち該広告情報を選択した利用者の数をカウントするステップと、
（６）サーバーが、前記特定された利用者により選択されている前記広告情報をカウントされた数が多い順に表示するための画面情報を、前記検索条件を送信した前記利用者端末に対して、送信するステップと
を有することを特徴とする方法。
【請求項２】
請求項１に記載の方法において、
前記検索条件を送信した前記利用者端末に対して前記広告情報を表示するための前記画面情報を送信し、前記利用者端末において前記利用者が前記広告情報を選択したことを前記利用者端末から受信した際には、前記サーバーが、選択された広告情報と選択した利用者とを関連付けて前記利用者データベースに記憶することを特徴とする方法。
【請求項３】
通信回線を介して広告情報を閲覧可能とするサーバーであって、
（１）広告主毎に、広告主と、広告情報とを関連付けた広告主データベースと、
（２）利用者毎に、 利用者と、検索対象となる利用者検索情報と、該利用者により選択された広告情報とを関連付けた利用者データベースと
を備え、
（３）利用者端末に対して、利用者を検索するための検索条件を入力させるための画面情報を送信するステップと、
（４）前記利用者端末から受信した前記検索条件に基づいて、前記利用者データベースの前記利用者検索情報に関連付けられた利用者を特定するステップと、
（５）前記特定された利用者により選択されている前記広告情報毎に、前記特定された利用者のうち該広告情報を選択した利用者の数をカウントするステップと、
（６）前記特定された利用者により選択されている前記広告情報をカウントされた数が多い順に表示するための画面情報を、前記検索条件を送信した前記利用者端末に対して、送信するステップと
を実行することを特徴とするサーバー。
【請求項４】
請求項３に記載のサーバーにおいて、
前記検索条件を送信した前記利用者端末に対して前記広告情報を表示するための前記画面情報を送信し、前記利用者端末において前記利用者が前記広告情報を選択したことを前記利用者端末から受信した際には、選択された広告情報と選択した利用者とを関連付けて前記利用者データベースに記憶することを特徴とするサーバー。
【請求項５】
請求項３又は請求項４に記載の動作を前記サーバーに実現させるためのプログラムを記録したコンピュータ読み取り可能な記録媒体。
【発明の詳細な説明】
【０００１】
【発明の属する技術分野】
本発明は、通信回線を介して広告情報を閲覧可能とする方法、サーバー、コンピュータプログラム、及び、コンピュータ読み取り可能な記録媒体に関する。
【０００２】
【従来の技術】
近年のインターネット関連技術の進展に伴い、通信回線を介した商品の購入、商品の宣伝等が広く行われるようになっている。
例えば、利用者は、端末からショッピングサイトにアクセスして、該サイト上で所望の商品等を検索することができるだけでなく、所望の商品・サービスの注文、代金の支払いをもサイト上で行うことができる。
利用者にとっては、多様な商品・サービスの中から所望の商品等を検索することができる点で利便性を有しており、商品等の提供者にとっては、日本国中、ひいては世界中の人を対象に商売を行うことができる点で利便性を有している。このように、従来の技術は、利用者及び商品提供者の双方に利便性をもたらした。
【０００３】
【発明が解決しようとする課題】
かかる従来の技術においては、利用者は、単に所望の商品等の購買を目的としてショッピングサイトにアクセスし、商品の提供者は、単に商品等を販売するためにショッピングサイトに商品等を出品する。したがって、利用者にとっても、商品等の提供者にとっても、ショッピングサイトは、「商品又はサービス」を中心としたものである。
【０００４】
しかし、利用者は、商品等単位の検索ではなく、商店単位の検索をしたい場合がある。例えば、かわいい商品を扱っている商店、フランス直輸入の商品を専門に扱っている商店等をショッピングサイトにて検索したい場合がある。また、商品等の提供者も、商品等単位の出品ではなく、商店単位の出店をしたい場合がある。例えば、かわいい小物を取り揃えている店である、タレント御用達の店である等の、店の特徴等をショッピングサイトにて利用者に宣伝広告したい場合がある。
【０００５】
しかしながら、従来のショッピングサイトは、このようなニーズに対応することができず、商品を中心とした利便性を備えているものの、面白さに欠けるという課題があった。
【０００６】
本発明は、かかる課題を解決するためになされたものであり、従来のショッピングサイトでは実現することのできなかった、「商店」単位の広告情報の閲覧を可能とすることを目的とする。
【０００７】
【課題を解決するための手段】
前記目的を達成するための第１の発明は、通信回線を介して広告情報を閲覧可能とする方法であって、（１）サーバーが、広告主毎に、広告主と、広告情報とを関連付けて記憶するステップと、（２）サーバーが、利用者に対して、記憶した前記広告情報の選択を促すステップと、（３）サーバーが、利用者毎に、 利用者と、検索対象となる利用者検索情報と、記憶した前記広告情報のうち該利用者により選択された広告情報と を関連付けて記憶するステップと、（４）端末から受信した検索条件に基づいて、サーバーが、前記利用者検索情報を検索して利用者を特定するステップと、（５）サーバーが、前記特定された利用者により選択されている広告情報毎に、前記特定された利用者のうち該広告情報を選択した利用者の数を判断するステップと、（６）サーバーが、前記特定された利用者により選択されている広告情報を、前記特定された利用者のうち選択した利用者の数が多い順に、前記検索条件を送信した端末にて閲覧可能とするステップとを有することを特徴とする方法である。
【０００８】
前記目的を達成するための第２の発明は、第１の発明に係る方法において、前記検索条件を送信した端末にて閲覧可能とした広告情報の選択を、利用者に対して促し、該選択がなされた際には、選択された広告情報を選択した利用者と関連付けて記憶することを特徴とする方法である。
【０００９】
前記目的を達成するための第３の発明は、第１、又は第２の発明に係る方法において、 前記広告情報は、各広告主が、端末から通信回線を介して編集可能であることを特徴とする方法である。
【００１０】
前記目的を達成するための第４の発明は、第１乃至第３のいずれかの発明に係る方法において、サーバーが、広告主のＷＷＷページを特定するための情報を記憶しており、利用者の端末にて前記広告情報が所定の方法により指定されると、該広告情報に関連付けられた広告主のＷＷＷページが該端末にて閲覧可能となるように、サーバーが前記広告情報を前記端末にて閲覧可能とすることを特徴とする方法である。
【００１１】
前記目的を達成するための第５の発明は、通信回線を介して広告情報を閲覧可能とするサーバーであって、（１）広告主毎に、広告主と、広告情報とを関連付けて記憶するステップと、（２）利用者に対して、記憶した前記広告情報の選択を促すステップと、（３）利用者毎に、 利用者と、検索対象となる利用者検索情報と、記憶した前記広告情報のうち該利用者により選択された広告情報と を関連付けて記憶するステップと、（４）端末から受信した検索条件に基づいて、前記利用者検索情報を検索して利用者を特定するステップと、（５）前記特定された利用者により選択されている広告情報毎に、前記特定された利用者のうち該広告情報を選択した利用者の数を判断するステップと、（６）前記特定された利用者により選択されている広告情報を、前記特定された利用者のうち選択した利用者の数が多い順に、前記検索条件を送信した端末にて閲覧可能とするステップとを実行することを特徴とするサーバーである。
【００１２】
前記目的を達成するための第６の発明は、第５の発明に係るサーバーにおいて、前記検索条件を送信した端末にて閲覧可能とした広告情報の選択を、利用者に対して促し、該選択がなされた際には、選択された広告情報を選択した利用者と関連付けて記憶することを特徴とするサーバーである。
【００１３】
前記目的を達成するための第７の発明は、第５又は第６の発明に係るサーバーにおいて、 前記広告情報は、各広告主が、端末から通信回線を介して編集可能であることを特徴とするサーバーである。
【００１４】
前記目的を達成するための第８の発明は、第５乃至第７のいずれかの発明に係るサーバーにおいて、広告主のＷＷＷページを特定するための情報を記憶しており、利用者の端末にて前記広告情報が所定の方法により指定されると、該広告情報に関連付けられた広告主のＷＷＷページが該端末にて閲覧可能となるように、前記広告情報を前記端末にて閲覧可能とすることを特徴とするサーバーである。
【００１５】
前記目的を達成するための第９の発明は、サーバーに、第５乃至第８のいずれかの発明に係る動作を実現させるためのプログラムである。
【００１６】
前記目的を達成するための第１０の発明は、第９の発明に係るプログラムを記録したコンピュータ読み取り可能な記録媒体である。
【００１７】
上記以外の、課題を解決するための手段は、以下の記載及び添付図面を参照することにより、明らかになるであろう。
【００１８】
【発明の実施の形態】
＝＝＝システム構成＝＝＝
まず、本実施の形態に係るシステム構成を、図１を参照しつつ説明する。図１は、本実施の形態に係るシステム構成図である。
図１に示されるように、複数の利用者端末１０ａ乃至１０ｎ、及び広告主端末４０ａ乃至４０ｎが、インターネット等の通信回線２０を介して、サーバー３０に接続している。なお、通信回線とは、端末間で双方から通信可能な有線又は無線を意味する。
【００１９】
利用者端末１０ａ乃至１０ｎ、及び広告主端末４０ａ乃至４０ｎには、ＷＷＷページを閲覧するためのＷＷＷブラウザ（不図示）がそれぞれ設けられており、利用者及び広告主は、このＷＷＷブラウザを用いて、種々のサーバーに設けられたＷＷＷページを閲覧することができる。
【００２０】
サーバー３０には、ハイパーテキスト形式で関連づけられたマルチメディア情報を有するＷＷＷページ３８が設けられている。なお、このＷＷＷページは、ＨＴＭＬ(Hyper Text Markup Language)や、ＸＭＬ(Extensible Markup Language)等のマークアップ言語を用いて記述されている。
【００２１】
また、サーバー３０には、広告主に関する情報を記憶するための広告主データベース３２、利用者に関する情報を記憶するための利用者データベース３４、及び被選定者に関する情報を記憶するための被選定者データベース３６が設けられている。
【００２２】
＝＝＝広告主データベース３２の構成＝＝＝
次に、広告主データベースの構成を説明する。
広告主データベース３２には、広告主毎に、広告主と、利用者端末１０ａ等にて閲覧可能とされる広告情報３２ｂと、利用者の送信した条件に基づいて検索対象となる広告検索情報３２ｃと、該広告主のＷＷＷページを特定するための情報３２ｄとが、関連付けられて記憶されている。
【００２３】
まず、広告情報３２ｂに関して図２を参照しつつ説明する。図２は、広告情報３２ｂが利用者端末１０ａ等にて閲覧可能とされた際の概略構成を示した図である。図２に示されるように、広告情報３２ｂは、店のロゴマーク、各種商品・サービスの写真、店のセールスポイント等が記載されるテキスト等を有している。
【００２４】
これらの広告情報３２ｂは、該広告情報３２ｂと関連付けられた広告主の広告主端末４０ａ等から通信回線２０を介して編集可能なものである。したがって、広告主は様々な趣向をこらした広告情報３２ｂを作成することができる。しかも、この広告情報３２ｂとは別に検索対象となる広告検索情報３２ｃが設けられているから、広告情報３２ｂを編集する際の自由度が大きい。また、広告情報３２ｂを編集することにより、広告主は、例えば、おすすめ商品の写真等を随時広告情報３２ｂに含ませることが可能である。
【００２５】
次に、広告検索情報３２ｃに関して説明する。広告検索情報３２ｃは、広告主の店で扱っている商品・サービスのジャンル、店のセールストーク、店の関連するイベント等の情報を有している。
【００２６】
ジャンルは、本、フード、家電、チケット等の店が取り扱う商品・サービスのジャンルである。
【００２７】
セールストークは、「お店のテイスト」、「お店のメリット」、「お店のＴＰＯ」、「ブランド」、「お店のターゲット層」、「お店の出店エリアイメージ」等の項目別の情報である。「お店のテイスト」としては、かわいい、おしゃれ等のキーワードを、「お店のメリット」としては、安い、早い等のキーワードを、「お店のＴＰＯ」としては、寝る前、疲労時等のキーワードを、「ブランド」としては、シャネル、ニコル等のキーワードを、「お店のターゲット層」としては、大学生、主婦等のキーワードを、「お店を出店エリアイメージ」としては、繁華街、首都圏等のキーワードを、各広告主が指定できる。
【００２８】
イベントは、キャンプ、雛祭り、クリスマス、食事会等の各種のイベントである。
【００２９】
この広告検索情報３２ｃも、該広告検索情報３２ｃと関連付けられた広告主の広告主端末４０ａ等から通信回線２０を介して編集可能なものである。したがって、広告主は、自らの 意思により、どのような利用者に広告情報３２ｂを閲覧してもらいたいかを決定することができる。例えば、ある時期にクリスマス用の商品を多数揃えた場合には、その時期に限ってイベント情報に「クリスマス」というキーワードを含ませることが可能であり、このようにすることにより、広告主は、クリスマス関連の広告情報を欲している利用者に対して効果的に自らの広告情報３２ｂを閲覧可能とすることができる。し かも、この広告検索情報３２ｃとは別に広告情報３２ｂが設けられているから、広告検索情報３２ｃを編集する際の自由度が大きい。
【００３０】
次に、広告主のＷＷＷページを特定するための情報３２ｄに関して説明する。広告主のＷＷＷページとは、該広告主の扱う商品・サービス等についての詳細な情報を有するＷＷＷページである。該ＷＷＷページは、サーバー３０に設けられていてもよいし、他のサーバーに設けられていてもよい。該ＷＷＷページを特定するための情報は、該ＷＷＷページのＵＲＬ（Uniform Resource Locator）等である。
【００３１】
＝＝＝利用者データベース３４の構成＝＝＝
次に、利用者データベース３４の構成について説明する。
利用者データベース３４には、利用者毎に、利用者と、広告情報３２ｂのうち該利用者により選択された広告情報と、利用者マーク３４ｃと、検索対象となる利用者検索情報３４ｄとが、関連付けられて記憶されている。
【００３２】
自ら選択した広告情報３２ｂが、利用者データベース３４に、自分と関連付けられて記憶されているから、各利用者は、サーバー３０にアクセスして、自ら選択した広告情報３２ｂを、随時利用者端末１０ａ等にて閲覧することができる。
【００３３】
次に、利用者マーク３４ｃに関して、図３を参照しつつ説明する。図３は、利用者マーク３４ｃが利用者端末１０ａ等から閲覧可能とされた際の概略構成を示した図である。図３に示されるように、利用者マーク３４ｃは、利用者のロゴマーク（モール名）、自分の選択した広告情報のセールストーク（おすすめトーク）等が記載されるテキスト等を有している。これらの利用者マーク３４ｃは、該利用者マーク３４ｃと関連付けられた利用者３４ａの利用者端末１０ａ等から通信回線２０を介して編集可能なものである。したがって、例えば、かわいいアクセサリーを扱っている広告主の広告情報３２ｂをいくつか選択した利用者は、利用者マーク３４ｃとして「○□のアクセサリーモール」を、また、テキストとして「かわいいアクセサリー情報満載！覗いてみてね。」というテキストを、利用者データベース３４に記憶させることができる。
【００３４】
このように、端末に表示される利用者マーク３４ｃを、利用者端末１０ａ等から通信回線２０を介して編集することができるから、利用者マーク３４ｃを編集する者にとっては、編集する楽しみが、利用者マーク３４ｃを見る者にとっては、見る楽しみが生じる。したがって、利用者をサーバー３０へアクセスさせるための動機付けがより大きくなる。
【００３５】
次に、利用者検索情報３４ｄに関して説明する。利用者検索情報３４ｄは、利用者の、性別、年齢、居住地、職業・業種、職種、好きなブランド、趣味等の情報を有している。この利用者検索情報３４ｄも、該利用者検索情報３４ｄに関連付けられた利用者の利用者端末１０ａ等から通信回線２０を介して編集可能なものである。したがって、利用者は、例えば、好きなブランドが変わった場合には、好きなブランド名を随時更新すること等が可能である。
【００３６】
＝＝＝被選定者データベース３６の構成＝＝＝
次に、被選定者データベース３６の構成について説明する。
被選定者データベース３６には、被選定者毎に、被選定者と、被選定者マーク３６ｂと、サーバー３０に記憶された広告情報３２ｂのうち該被選定者により選択された広告情報とが、関連付けられて記憶されている。
ここで、被選定者とは、予め選定された者であり、例えば、タレント、プロ野球選手、プロサッカー選手等である。
被選定者マーク３６ｂの構成は、利用者マーク３４ｃと同様の構成である。
【００３７】
＝＝＝広告情報３２ｂの閲覧方法（その１）＝＝＝
次に、広告情報３２ｂの閲覧方法（その１）について、図４及び、図５を参照しつつ説明する。図４は、ＷＷＷページ３８の一例を示した図である。図５は、広告情報３２ｂの閲覧方法（その１）の流れを示した図である。
【００３８】
利用者は、利用者端末１０ａ等から種々の条件を指定して広告情報３２ｂを検索することができる。利用者が条件を指定する際には、例えば、図４に示されるＷＷＷページ３８の左半分が、利用者端末１０ａ等にて閲覧可能となる。
【００３９】
この例では、利用者は、探したい店のキーワードをフリーワードで入力するが可能である。例えば、「品の良い」、「マニアック」等のワードを自由に入力することができる。また、利用者は、「お店のテイスト」、「お店のメリット」、「お店のＴＰＯ」、「似合うブランド」、「お店に来そうな人」「お店を出すならどんな街がよいか」等の各項目について、サーバー３０にて予め準備されているキーワードのなかから、好みのキーワードを選択することも可能である。
【００４０】
このようにして利用者が条件を指定すると、指定された条件は、通信回線２０を介して利用者端末１０ａ等からサーバー３０へ送信される。
【００４１】
利用者端末１０ａ等から条件を受信すると、サーバー３０は、利用者端末１０ａ等から受信した条件に基づいて、広告主データベース３２に記憶された広告検索情報３２ｃを検索して、該広告検索情報３２ｃと関連付けられた広告情報３２ｂを特定する（Ｓ１）。
【００４２】
サーバー３０は、特定した広告情報３２ｂを、条件を送信した利用者端末１０ａ等に送信する。広告情報３２ｂを受信した利用者端末１０ａ等では、図４に示されるＷＷＷページ３８の右半分が閲覧可能となる。ＷＷＷページ３８の右半分においては、特定された広告情報３２ｂが閲覧可能となっている。これにより、サーバー３０は、利用者に対して広告情報３２ｂの選択を促す（Ｓ３）。
【００４３】
このように、 利用者が所望の条件に合致した広告情報３２ｂのなかから広告情報３２ｂの選択を行うことができるから、利用者は、自分の希望に沿った広告情報３２ｂを選択することが可能となる。
【００４４】
この際、利用者が、利用者端末１０ａ等にて閲覧可能となった広告情報３２ｂのうち、特定の広告情報の商店ロゴマークをクリックすると、該利用者は、該広告情報と関連付けて記憶された広告主のＷＷＷページを閲覧することができる。広告主のＷＷＷページを閲覧することにより、利用者は、広告主の扱う商品・サービス等に関する詳細な情報を得ることができる。
【００４５】
このように、利用者は、広告主の個々の商品等を直接的に検索するのではなく、広告主により編集された広告検索情報３２ｃを検索し、その結果特定された広告情報３２ｂを閲覧した上で、所望の広告主のＷＷＷページを閲覧して、その広告主の扱う商品等の情報を得ることができるから、商品等単位の情報入手でなく、広告主単位の情報入手を行うことが可能となる。
【００４６】
利用者が、利用者端末１０ａ等にて、気に入った広告情報３２ｂをチェックして「登録」マークをクリックすると、チェックされた広告情報３２ｂが該利用者により選択される。
【００４７】
広告情報３２ｂの選択がなされると、選択された広告情報３２ｂに関する情報が、利用者端末１０ａ等からサーバー３０へ送信される。選択された広告情報３２ｂに関する情報を受信したサーバー３０は、選択された広告情報３２ｂを、選択した利用者と関連付けて利用者データベース３４に記憶する（Ｓ５）。
【００４８】
また、各利用者と関連付けられて記憶された、該利用者により選択された広告情報３２ｂは、該利用者の要求に応じて、サーバー３０により、該利用者以外の者に対して、通信回線２０を介して閲覧可能とされる（Ｓ７）。
【００４９】
このように、利用者により選択された広告情報３２ｂがサーバー３０に記憶されるのみならず、利用者の要求に応じて、該利用者により選択された広告情報３２ｂが、サーバー３０により、該利用者以外の者に対して閲覧可能とされる。したがって、単に利用者により選択された広告情報３２ｂがサーバーに記憶されるだけの場合よりも、利用者をサーバー３０へアクセスさせるための動機付けが大きく、それ故、効果的に広告情報３２ｂを利用者に閲覧させて広告効果を高めることができる。
【００５０】
＝＝＝広告情報３２ｂの閲覧方法（その２）＝＝＝
次に、広告情報３２ｂの閲覧方法（その２）について、図６、図７、及び、図８を参照しつつ説明する。この閲覧方法（その２）は、他者に対して自分の選択した広告情報３２ｂを閲覧可能としている利用者の利用者検索情報３２ｄを用いて、広告情報３２ｂの閲覧可能とするものである。図６は、ＷＷＷページ３８の一例を示した図である。図７は、広告情報３２ｂの閲覧方法（その２）の流れを示した図である。図８は、ＷＷＷページ３８の一例を示した図である。
【００５１】
本方法においては、利用者は、利用者端末１０ａ等から他の利用者に関する種々の条件を指定して広告情報３２ｂを検索することができる。利用者が条件を指定する際には、例えば、図６に示されるＷＷＷページ３８の左半分が、利用者端末１０ａ等にて閲覧可能となる。
【００５２】
利用者は、他の利用者に関する条件を、「性別」、「年齢」、「居住地」、「職業・業種」、「職種」、「好きなブランド」、「趣味」等の各項目について、サーバー３０にて予め準備されているキーワードのなかから、好みのキーワードを選択して指定することができる。
【００５３】
このようにして利用者が条件を指定すると、指定された条件は、通信回線２０を介して利用者端末１０ａ等からサーバー３０へ送信される。
【００５４】
利用者端末１０ａ等から条件を受信すると、サーバー３０は、利用者の利用者端末１０ａ等から受信した条件に基づいて、利用者データベース３４に記憶された利用者検索情報３４ｄのうち、他者に対して自分の選択した広告情報３２ｂを閲覧可能としている利用者の利用者検索情報３４ｄを検索して、該利用者検索情報３４ｄと関連付けられた利用者マーク３４ｃを特定する（Ｔ１）。
【００５５】
サーバー３０は、特定した利用者マーク３４ｃを、条件を送信した利用者端末１０ａ等に送信する（Ｔ３）。利用者マーク３４ｃを受信した利用者端末１０ａ等では、図６に示されるＷＷＷページ３８の右半分が閲覧可能となる。ＷＷＷページ３８の右半分においては、特定された利用者マーク３４ｃが閲覧可能となっている。利用者が利用者端末１０ａ等にて特定の利用者マーク３４ｃの利用者ロゴマーク（例えば、○●○○モール等）をクリックすると、図８のＷＷＷページの右半分に示されるように、該利用者ロゴマークと関連付けられている利用者の選択した広告情報３２ｂが該利用者端末１０ａ等にて閲覧可能となる。これにより、サーバー３０は、利用者に対して広告情報３２ｂの選択を促す（Ｔ５）。
【００５６】
このように、利用者は、 所望の条件で他の利用者を検索し、該利用者により選択された広告情報３２ｂをもとに広告情報の選択を行うことができる。例えば、自分の年齢、趣味等を同じくする人がどのような広告情報３２ｂを選択しているかを参考にして、広告情報３２ｂの選択を行うことが可能となる。したがって、自分の希望に沿った広告情報３２ｂを迅速に選択することができる。
【００５７】
この際、利用者が、利用者端末１０ａ等にて閲覧可能となった広告情報３２ｂのうち、特定の広告情報の商店ロゴマークをクリックすると、該利用者は、該広告情報と関連付けて記憶された広告主のＷＷＷページを閲覧することができる。広告主のＷＷＷページを閲覧することにより、利用者は、広告主の扱う商品・サービス等に関する詳細な情報を得ることができる。
【００５８】
利用者が、利用者端末１０ａ等にて、図８に示されるＷＷＷページ上で気に入った広告情報３２ｂをチェックして「登録」マークをクリックすると、チェックされた広告情報３２ｂが該利用者により選択される。
【００５９】
広告情報３２ｂの選択がなされると、選択された広告情報３２ｂに関する情報が、利用者端末１０ａ等からサーバー３０へ送信される。選択された広告情報３２ｂに関する情報を受信したサーバー３０は、選択された広告情報３２ｂを、選択した利用者と関連付けて利用者データベース３４に記憶する（Ｔ７）。
【００６０】
また、図８に示されるＷＷＷページ上で「ＭＡＬＬＧＥＴ！」マークをクリックすると、利用者は、他の利用者により選択されている広告情報３２ｂのすべてを選択することができる。
【００６１】
例えば、自分の年齢、趣味等の各種条件で他の利用者を検索して特定し、特定された利用者により選択された広告情報３２ｂのすべてを、利用者データベース３４に、自分と関連付けて記憶させることができる。したがって、広告情報３２ｂの収集が容易になる。
【００６２】
このようにして、利用者が他の利用者により選択されている広告情報３２ｂのすべてを選択した際に、サーバー３０が、利用者マーク３４ｃ毎に、その回数を記憶することが好ましい。かかる回数を記憶しておけば、利用者マーク３４ｃを利用者端末１０ａ等にて閲覧可能とする際に、サーバー３０は、その回数が多い順に利用者マークを閲覧可能とすることができる。
【００６３】
利用者は、他人により特定された回数の多い利用者マーク３４ｃ、すなわち人気のある利用者マーク３４ｃを判断することができるので、さらに広告情報３２ｂの収集が容易になる。
【００６４】
また、検索条件を送信した利用者が、利用者マーク３４ｃを指定して閲覧可能とされた広告情報３２ｂのうち、特定の広告情報３２ｂを選択した場合、該特定の広告情報３２ｂと関連付けられた広告主から、該利用者マーク３４ｃと関連付けられた該利用者に対して、所定のポイントが付与されることが好ましい。
【００６５】
ポイントとしては、ポイントを付与した広告主の店でのみ商品の購入に用いることのできるもの、広告主データベース３２に記憶されている広告主の店での商品の購入に用いることのできるもの等である。利用者に付与されたポイントは、該利用者と関連付けられてサーバー３０に記憶される。
【００６６】
このように、検索条件を送信した利用者が、利用者マーク３４ｃを指定して閲覧可能とされた広告情報３２ｂのうち、特定の広告情報３２ｂを選択した場合、該特定の広告情報３２ｂと関連付けられた広告主から、該利用者マーク３４ｃと関連付けられた該利用者に対して、所定のポイントが付与されるようにすれば、他者に対して自分の選択した広告情報３２ｂを閲覧可能とするための動機付けが大きくなる。
【００６７】
＝＝＝広告情報３２ｂの閲覧方法（その３）＝＝＝
次に、広告情報３２ｂの閲覧方法（その３）について、図９、及び、図１０を参照しつつ説明する。この閲覧方法も、利用者検索情報３２ｄを用いて広告情報３２ｂを閲覧可能とするものである。図９は、ＷＷＷページ３８の一例を示した図である。図１０は、広告情報３２ｂの閲覧方法（その３）の流れを示した図である。
【００６８】
本方法においても、閲覧方法（その２）と同様に、利用者は、利用者端末１０ａ等から他の利用者に関する種々の条件を指定して広告情報３２ｂを検索することができる。利用者が条件を指定する際には、例えば、図９に示されるＷＷＷページ３８の左半分が、利用者端末１０ａ等にて閲覧可能となる。
【００６９】
利用者は、他の利用者に関する条件を、「性別」、「年齢」、「居住地」、「職業・業種」、「職種」、「好きなブランド」、「趣味」等の各項目について、サーバー３０にて予め準備されているキーワードのなかから、好みのキーワードを選択して指定することができる。
【００７０】
このようにして利用者が条件を指定すると、指定された条件は、通信回線２０を介して利用者端末１０ａ等からサーバー３０へ送信される。
【００７１】
サーバー３０が利用者端末１０ａ等から条件を受信すると、サーバー３０は、利用者の利用者端末１０ａ等から受信した条件に基づいて、利用者データベース３４に記憶された利用者検索情報３４ｄを検索して、該利用者検索情報３４ｄと関連付けられた利用者を特定する（Ｕ１）。
【００７２】
次にサーバー３０は、特定された利用者により選択されている広告情報３２ｂ毎に、特定された利用者のうち該広告情報を選択した利用者の数を判断する（Ｕ３）。例えば、特定された利用者が甲さん、乙さん、丙さんであり、甲さんが、広告情報ＸＡ、広告情報ＸＢを選択しおり、乙さんが、広告情報ＸＡ、広告情報ＸＢを選択しており、丙さんが、広告情報ＸＡ、広告情報ＸＣを選択していた場合、サーバー３０は、特定された利用者のうち、広告情報ＸＡを選択した利用者の数を３人、広告情報ＸＢを選択した利用者の数を２人、広告情報ＸＣを選択した利用者の数を１人と判断する。
【００７３】
かかる判断を行った後、サーバー３０は、特定された利用者により選択されている広告情報３２ｂを、該特定された利用者のうち選択した利用者の数が多い順に、検索条件を送信した利用者端末１０ａ等にて閲覧可能とする。利用者マークを受信した利用者端末１０ａ等では、図９に示されるＷＷＷページ３８の右半分が閲覧可能となる。このＷＷＷページ３８の右半分においては、選択した利用者の数が多い順に、上から下へ広告情報３２ｂが並んで閲覧可能とされている。これにより、サーバー３０は、利用者に対して広告情報３２ｂの選択を促す（Ｕ５）。
【００７４】
したがって、利用者は、所望の条件に合致する人において人気のある店の広告情報３２ｂを、簡単に閲覧することができる。例えば、「２０代の女性」に人気のある店の広告情報３２ｂ等も簡単に閲覧することが可能となる。
【００７５】
この際、利用者が、利用者端末１０ａ等にて閲覧可能となった広告情報３２ｂのうち、特定の広告情報の商店ロゴマークをクリックすると、該利用者は、該広告情報と関連付けて記憶された広告主のＷＷＷページを閲覧することができる。広告主のＷＷＷページを閲覧することにより、利用者は、広告主の扱う商品・サービス等に関する詳細な情報を得ることができる。
【００７６】
利用者が、利用者端末１０ａ等にて、図９に示されるＷＷＷページ上で気に入った広告情報３２ｂをチェックして「登録」マークをクリックすると、チェックされた広告情報３２ｂが該利用者により選択される。
【００７７】
広告情報３２ｂの選択がなされると、選択された広告情報３２ｂに関する情報が、利用者端末１０ａ等からサーバー３０へ送信される。選択された広告情報３２ｂに関する情報を受信したサーバー３０は、選択された広告情報３２ｂを、選択した利用者と関連付けて利用者データベース３４に記憶する（Ｕ７）。
【００７８】
＝＝＝広告情報３２ｂの閲覧方法（その４）＝＝＝
次に、広告情報３２ｂの閲覧方法（その４）について、図１１、及び、図１２等を参照しつつ説明する。この閲覧方法（その４）は、予め選定したタレント等の被選定者により選択された広告情報を用いて、広告情報３２ｂの閲覧を可能としたものである。図１１は、ＷＷＷページ３８の一例を示した図である。図１２は、広告情報３２ｂの閲覧方法（その３）の流れを示した図である。
【００７９】
まず、被選定者は、広告主データベース３２に記憶されている広告情報３２ｂのうち、お気に入りの広告情報３２ｂを選択する（Ｖ１）。広告情報３２ｂの選択に際しては、前述した、広告情報３２ｂの閲覧方法（その１）、（その２）、（その３）等の方法を用いる。
【００８０】
被選定者が広告情報３２ｂを選択すると、サーバー３０は、被選定者毎に、被選定者と、被選定者マークと、広告主データベース３２に記憶されている広告情報３２ｂのうち、該被選定者により選択された広告情報とを関連付けて、被選定者データベース３６に記憶する（Ｖ３）。
【００８１】
また、サーバー３０は、被選定者が選択した広告情報３２ｂと、該被選択者とを関連付ける（Ｖ５）。したがって、被選定者が選択した広告情報３２ｂは、被選定者マークとも関連付けられる。かかる関連付けに基づき、被選定者が選定した広告情報３２ｂが利用者端末１０ａ等にて閲覧可能とされる際に、サーバー３０は、該広告情報３２ｂを選択した被選定者の被選定者マークを、該広告情報３２ｂと対応付けて閲覧可能とする（Ｖ７）。例えば、図４等に示されるように、被選定者としての芸能人木村拓哉が選択している広告情報３２ｂには、「キムタク御用達」という被選定者マークが対応付けられる。
【００８２】
ここで、利用者が、利用者が利用者端末１０ａ等にて被選定者マークを所定の方法により指定すると、サーバー３０は、該選定者により選択された広告情報３２ｂを、利用者端末１０ａ等にて閲覧可能とする（Ｖ９）。例えば、「キムタク御用達」という被選定者マークを利用者がクリックすると、図１１に示すように、木村拓哉が選択した広告情報３２ｂが利用者端末１０ａ等にて閲覧可能となる。
【００８３】
この際、利用者が、利用者端末１０ａ等にて閲覧可能となった広告情報３２ｂのうち、特定の広告情報の商店ロゴマークをクリックすると、該利用者は、該広告情報と関連付けて記憶された広告主のＷＷＷページを閲覧することができる。広告主のＷＷＷページを閲覧することにより、利用者は、広告主の扱う商品・サービス等に関する詳細な情報を得ることができる。
【００８４】
このように、利用者は、閲覧可能とされた広告情報３２ｂのうち、タレント等の被選定者により選択されているものを利用者端末１０ａ等にて認識できるのみならず、被選定者マークを指定すれば該被選定者により選択されている広告情報３２ｂをも閲覧することができる。よって、所望の条件に基づく広告情報３２ｂの閲覧のみならず、お気に入りのタレント等の被選定者に基づく広告情報３２ｂの閲覧も可能となる。また、広告主にとっても、所望の条件に基づいて広告情報３２ｂを利用者に閲覧してもらうことに加えて、タレント等の被選定者に基づいて広告情報３２ｂを利用者に閲覧してもらうことが可能となる。
【００８５】
利用者が、利用者端末１０ａ等にて、図１１に示されるＷＷＷページ上で気に入った広告情報３２ｂをチェックして「登録」マークをクリックすると、チェックされた広告情報３２ｂが該利用者により選択される。
【００８６】
広告情報３２ｂの選択がなされると、選択された広告情報３２ｂに関する情報が、利用者端末１０ａ等からサーバー３０へ送信される。選択された広告情報３２ｂに関する情報を受信したサーバー３０は、選択された広告情報３２ｂを、選択した利用者と関連付けて利用者データベース３４に記憶する（Ｖ１１）。
【００８７】
また、図１１に示されるＷＷＷページ上で「ＭＡＬＬＧＥＴ！」マークをクリックすると、利用者は、被選定者である木村拓哉により選択されている広告情報３２ｂのすべてを選択することができる。
【００８８】
このように、利用者は、お気に入りタレント等 により選択された広告情報３２ｂのすべてを、利用者データベース３４に、自分と関連付けて記憶させることができるから、お気に入りタレント等の御用達の店の広告情報３２ｂの収集が容易になる。
【００８９】
以上説明した処理をサーバーに実行させるプログラムを、コンピュータ読取可能な記録媒体に記録することも可能である。
【００９０】
＝＝＝その他＝＝＝
利用者端末１０ａ等、及び、広告主端末４０ａ等として、パーソナルコンピュータ、ワークステーション、携帯情報端末（ＰＤＡ）、携帯電話等の各種の端末が使用可能である。
【００９１】
サーバー３０は、クライアントマシンに対して通信回線を介して各種のサービスを提供するコンピュータであり、本実施の形態に記載の処理を一台のサーバーで行っても良いし、複数のサーバーで行っても良い。
【００９２】
広告主データベース３２等の各種のデータベースは、本実施の形態に記載の処理を行うサーバーに設けても良いし、他のサーバーに設けても良い。
【００９３】
ＷＷＷページ３８も、本実施の形態に記載の処理を行うサーバーに設けても良いし、他のサーバーに設けても良い。
【００９４】
【発明の効果】
第１の発明によれば、 端末から受信した検索条件に基づいて特定された利用者により選択されている広告情報が、該広告を選択した利用者の数が多い順に該端末にて閲覧可能とされる。したがって、所望の条件に合致する人において人気のある広告情報を順に閲覧することができるので、利用者をサーバーへアクセスさせるための動機付けが大きく、それ故、効果的に広告情報を利用者に閲覧させて広告効果を高めることができる。
【００９５】
第２の発明によれば、 検索条件を送信した利用者は、閲覧可能とされた広告情報のうち、所望の広告情報を、自分と関連付けてサーバーに記憶することができるから、利用者をサーバーへアクセスさせるための動機付けをより大きくすることが可能となり、それ故、より効果的に広告情報を利用者に閲覧させて広告効果を高めることができる。
【００９６】
第３の発明によれば、 端末に表示される広告情報を、各広告主が端末から通信回線を介して編集することができるから、広告主は様々な趣向をこらした広告情報を作成することができる。しかも、この広告情報自体が直接的に検索対象となるものではないから、編集の自由度が大きい。したがって、一層効果的に広告情報を利用者に閲覧させて広告効果を高めることができる。
【００９７】
第４の発明によれば、利用者の端末にて前記広告情報が所定の方法により指定されると、該広告情報に関連付けられた広告主のＷＷＷページが該端末にて閲覧可能となるから、利用者は、広告主の販売する商品等を閲覧した上で、広告情報を選択することができる。したがって、より一層 効果的にサーバーに記憶された広告情報を利用者に閲覧させて広告効果を高めることができる。
【００９８】
第５の発明によれば、 端末から受信した検索条件に基づいて特定された利用者により選択されている広告情報が、該広告を選択した利用者の数が多い順に該端末にて閲覧可能とされる。したがって、所望の条件に合致する人において人気のある広告情報を順に閲覧することができるので、利用者をサーバーへアクセスさせるための動機付けが大きく、それ故、効果的に広告情報を利用者に閲覧させて広告効果を高めることができる。
【００９９】
第６の発明によれば、 検索条件を送信した利用者は、閲覧可能とされた広告情報のうち、所望の広告情報を、自分と関連付けてサーバーに記憶することができるから、利用者をサーバーへアクセスさせるための動機付けをより大きくすることが可能となり、それ故、より効果的に広告情報を利用者に閲覧させて広告効果を高めることができる。
【０１００】
第７の発明によれば、 端末に表示される広告情報を、各広告主が端末から通信回線を介して編集することができるから、広告主は様々な趣向をこらした広告情報を作成することができる。しかも、この広告情報自体が直接的に検索対象となるものではないから、編集の自由度が大きい。したがって、一層効果的に広告情報を利用者に閲覧させて広告効果を高めることができる。
【０１０１】
第８の発明によれば、利用者の端末にて前記広告情報が所定の方法により指定されると、該広告情報に関連付けられた広告主のＷＷＷページが該端末にて閲覧可能となるから、利用者は、広告主の販売する商品等を閲覧した上で、広告情報を選択することができる。したがって、より一層 効果的にサーバーに記憶された広告情報を利用者に閲覧させて広告効果を高めることができる。
【図面の簡単な説明】
【図１】本実施の形態に係るシステム構成図である。
【図２】広告情報３２ｂが利用者端末１０ａ等にて閲覧可能とされた際の概略構成を示した図である。
【図３】利用者マーク３４ｃが利用者端末１０ａ等から閲覧可能とされた際の概略構成を示した図である。
【図４】ＷＷＷページ３８の一例を示した図である。
【図５】広告情報３２ｂの閲覧方法（その１）の流れを示した図である。
【図６】ＷＷＷページ３８の一例を示した図である。
【図７】広告情報３２ｂの閲覧方法（その２）の流れを示した図である。
【図８】ＷＷＷページ３８の一例を示した図である。
【図９】ＷＷＷページ３８の一例を示した図である。
【図１０】広告情報３２ｂの閲覧方法（その３）の流れを示した図である。
【図１１】ＷＷＷページ３８の一例を示した図である。
【図１２】広告情報３２ｂの閲覧方法（その３）の流れを示した図である。
【符号の説明】
１０ａ、１０ｂ、・・、１０ｎ  利用者端末
２０  通信回線
３０  サーバー
３２  広告主データベース
３２ｂ  広告情報
３２ｃ  広告検索情報
３２ｄ  ＷＷＷページを特定するための情報
３４  利用者データベース
３４ｃ  利用者マーク
３４ｄ  利用者検索情報
３６  被選定者データベース
３６ｂ  被選定者マーク
３８  ＷＷＷページ
４０ａ、４０ｂ、・・、４０ｎ  広告主端末
【図１】
0004603683.tif 000002
【図２】
0004603683.tif 000003
【図３】
0004603683.tif 000004
【図４】
0004603683.tif 000005
【図５】
0004603683.tif 000006
【図６】
0004603683.tif 000007
【図７】
0004603683.tif 000008
【図８】
0004603683.tif 000009
【図９】
0004603683.tif 000010
【図１０】
0004603683.tif 000011
【図１１】
0004603683.tif 000012
【図１２】
0004603683.tif 000013